【手続補正書】
【提出日】平成22年12月28日(2010.12.28)
【手続補正１】
【補正対象書類名】特許請求の範囲
【補正対象項目名】全文
【補正方法】変更
【補正の内容】
【特許請求の範囲】
【請求項１】
サーバと情報処理装置とが通信回線を介して接続される情報処理システムであって、
前記サーバは、
チラシ生成に用いられる複数の商品データと当該商品データを配置する配置情報とを含む表示制御情報を前記情報処理装置に送信する第１の送信手段と、
前記情報処理装置から取得される置き替えられた商品データの配置情報に従って、出力データを生成する生成手段と
を有し、
前記情報処理装置は、
チラシ生成に用いられる複数の商品データと当該複数の商品データを配置する配置情報とを含む表示制御情報を前記サーバより受信する第１の受信手段と、
前記第１の受信手段により受信した表示制御情報に含まれる配置情報に従って、前記商品データをそれぞれ配置した一覧画面をブラウザに表示させる表示制御手段と、
前記表示制御手段によりブラウザに表示された一覧画面において、置き替え元となる商品データに対するポインティングデバイスによるドラッグの指定を受け付ける指定受付手段と、
前記指定受付手段により指定を受け付けた前記置き替え元となる商品データが、置き替え先となる商品データの位置にドロップされた場合、当該ドロップされた置き替え先となる商品データを特定する特定手段と、
前記指定受付手段により指定を受け付けた置き替え元となる商品データの配置情報と前記特定手段により特定された置き替え先となる商品データの配置情報とを用いて、前記ブラウザにおいて、前記置き替え元となる商品に関するデータと前記置き替え先となる商品に関するデータとを置き替えてブラウザに表示する置替表示手段と、
前記商品データが再配置された出力データを前記サーバに生成させるべく、前記置替表示手段により置き替えられた商品データの配置情報を、前記サーバに送信する第２の送信手段と
を有することを特徴とする情報処理システム。
【請求項２】
前記サーバは、
前記複数の商品データを配置するためのレイアウトを定義した複数のテンプレートデータを前記情報処理装置へ送信する第３の送信手段を有し、
前記情報処理装置は、
前記複数の商品データを配置するためのレイアウトを定義した複数のテンプレートデータを受信する第２の受信手段と、
前記第２の受信手段により受信された複数のテンプレートデータから１つのテンプレートデータの選択と、当該テンプレートデータに配置する複数の商品データを選択する選択手段と、
前記第１の受信手段により受信される表示制御情報は、前記選択手段により選択されたテンプレートデータと複数の商品データとを用いて生成された表示制御情報であることを特徴とする請求項１に記載の情報処理システム。
【請求項３】
前記表示制御情報には、前記複数の商品データを配置する領域のサイズが含まれ、
前記置替表示手段は、前記特定手段で特定された置き替え先となる商品データの領域のサイズに従って、前記置き替え元となる商品データの領域のサイズを拡大表示または縮小表示することを特徴とする請求項１または２に記載の情報処理システム。
【請求項４】
前記情報処理装置は、
前記出力データに付加される、前記出力データの発行元を示す発行元情報を入力する第１の入力手段と、
前記第１の入力手段により入力された発行元情報を前記サーバに送信する第３の送信手段とを更に有することを特徴とする請求項１乃至３の何れか１項に記載の情報処理システム。
【請求項５】
前記情報処理装置は、
前記出力データに付加される、商品の価格情報を入力する第２の入力手段と、
前記第２の入力手段により入力された価格情報を前記サーバに送信する第４の送信手段とを更に有することを特徴とする請求項１乃至４の何れか１項に記載の情報処理システム。
【請求項６】
チラシ生成に用いられる複数の商品データと当該商品データを配置する配置情報とを含む表示制御情報を情報処理装置に送信する第１の送信手段と、当該情報処理装置から取得される置き替えられた商品データの配置情報に従って、出力データを生成する生成手段とを有するサーバと通信回線を介して接続される情報処理装置であって、
チラシ生成に用いられる複数の商品データと当該複数の商品データを配置する配置情報とを含む表示制御情報を前記サーバより受信する第１の受信手段と、
前記第１の受信手段により受信した表示制御情報に含まれる配置情報に従って、前記商品データをそれぞれ配置した一覧画面をブラウザに表示させる表示制御手段と、
前記表示制御手段によりブラウザに表示された一覧画面において、置き替え元となる商品データに対するポインティングデバイスによるドラッグの指定を受け付ける指定受付手段と、
前記指定受付手段により指定を受け付けた前記置き替え元となる商品データが、置き替え先となる商品データの位置にドロップされた場合、当該ドロップされた置き替え先となる商品データを特定する特定手段と、
前記指定受付手段により指定を受け付けた置き替え元となる商品データの配置情報と前記特定手段により特定された置き替え先となる商品データの配置情報とを用いて、前記ブラウザにおいて、前記置き替え元となる商品に関するデータと前記置き替え先となる商品に関するデータとを置き替えてブラウザに表示する置替表示手段と、
前記商品データが再配置された出力データを前記サーバに生成させるべく、前記置替表示手段により置き替えられた商品データの配置情報を、前記サーバに送信する第２の送信手段と
を有することを特徴とする情報処理装置。
【請求項７】
サーバと情報処理装置とが通信回線を介して接続される情報処理システムにおいて実行可能な情報処理方法であって、
前記サーバは、
チラシ生成に用いられる複数の商品データと当該商品データを配置する配置情報とを含む表示制御情報を前記情報処理装置に送信する第１の送信ステップと、
前記情報処理装置から取得される置き替えられた商品データの配置情報に従って、出力データを生成する生成ステップと
を備え、
前記情報処理装置は、
チラシ生成に用いられる複数の商品データと当該複数の商品データを配置する配置情報とを含む表示制御情報を前記サーバより受信する第１の受信ステップと、
前記第１の受信ステップにより受信した表示制御情報に含まれる配置情報に従って、前記商品データをそれぞれ配置した一覧画面をブラウザに表示させる表示制御ステップと、
前記表示制御ステップによりブラウザに表示された一覧画面において、置き替え元となる商品データに対するポインティングデバイスによるドラッグの指定を受け付ける指定受付ステップと、
前記指定受付ステップにより指定を受け付けた前記置き替え元となる商品データが、置き替え先となる商品データの位置にドロップされた場合、当該ドロップされた置き替え先となる商品データを特定する特定ステップと、
前記指定受付ステップにより指定を受け付けた置き替え元となる商品データの配置情報と前記特定ステップにより特定された置き替え先となる商品データの配置情報とを用いて、前記ブラウザにおいて、前記置き替え元となる商品に関するデータと前記置き替え先となる商品に関するデータとを置き替えてブラウザに表示する置替表示ステップと、
前記商品データが再配置された出力データを前記サーバに生成させるべく、前記置替表示ステップにより置き替えられた商品データの配置情報を、前記サーバに送信する第２の送信ステップと
を有することを特徴とする情報処理方法。
【請求項８】
サーバと情報処理装置とが通信回線を介して接続される情報処理システムにおいて実行可能なプログラムであって、
前記サーバを、
チラシ生成に用いられる複数の商品データと当該商品データを配置する配置情報とを含む表示制御情報を前記情報処理装置に送信する第１の送信手段、
前記情報処理装置から取得される置き替えられた商品データの配置情報に従って、出力データを生成する生成手段
して機能させ、
前記情報処理装置を、
チラシ生成に用いられる複数の商品データと当該複数の商品データを配置する配置情報とを含む表示制御情報を前記サーバより受信する第１の受信手段、
前記第１の受信手段により受信した表示制御情報に含まれる配置情報に従って、前記商品データをそれぞれ配置した一覧画面をブラウザに表示させる表示制御手段、
前記表示制御手段によりブラウザに表示された一覧画面において、置き替え元となる商品データに対するポインティングデバイスによるドラッグの指定を受け付ける指定受付手段、
前記指定受付手段により指定を受け付けた前記置き替え元となる商品データが、置き替え先となる商品データの位置にドロップされた場合、当該ドロップされた置き替え先となる商品データを特定する特定手段、
前記指定受付手段により指定を受け付けた置き替え元となる商品データの配置情報と前記特定手段により特定された置き替え先となる商品データの配置情報とを用いて、前記ブラウザにおいて、前記置き替え元となる商品に関するデータと前記置き替え先となる商品に関するデータとを置き替えてブラウザに表示する置替表示手段、
前記商品データが再配置された出力データを前記サーバに生成させるべく、前記置替表示手段により置き替えられた商品データの配置情報を、前記サーバに送信する第２の送信手段
として機能させることを特徴とするプログラム。
【請求項９】
チラシ生成に用いられる複数の商品データと当該商品データを配置する配置情報とを含む表示制御情報を情報処理装置に送信する第１の送信手段と、当該情報処理装置から取得される置き替えられた商品データの配置情報に従って、出力データを生成する生成手段とを有するサーバと通信回線を介して接続される情報処理装置において実行可能なプログラムであって、
チラシ生成に用いられる複数の商品データと当該複数の商品データを配置する配置情報とを含む表示制御情報を前記サーバより受信する第１の受信ステップ、
前記第１の受信ステップにより受信した表示制御情報に含まれる配置情報に従って、前記商品データをそれぞれ配置した一覧画面をブラウザに表示させる表示制御ステップ、
前記表示制御ステップによりブラウザに表示された一覧画面において、置き替え元となる商品データに対するポインティングデバイスによるドラッグの指定を受け付ける指定受付ステップ、
前記指定受付ステップにより指定を受け付けた前記置き替え元となる商品データが、置き替え先となる商品データの位置にドロップされた場合、当該ドロップされた置き替え先となる商品データを特定する特定ステップ、
前記指定受付ステップにより指定を受け付けた置き替え元となる商品データの配置情報と前記特定ステップにより特定された置き替え先となる商品データの配置情報とを用いて、前記ブラウザにおいて、前記置き替え元となる商品に関するデータと前記置き替え先となる商品に関するデータとを置き替えてブラウザに表示する置替表示ステップ、
前記商品データが再配置された出力データを前記サーバに生成させるべく、前記置替表示ステップにより置き替えられた商品データの配置情報を、前記サーバに送信する第２の送信ステップ
とを前記情報処理装置に実行させることを特徴とするプログラム。
【手続補正２】
【補正対象書類名】明細書
【補正対象項目名】発明の名称
【補正方法】変更
【補正の内容】
【発明の名称】情報処理システム、情報処理装置、情報処理方法及びプログラム
【手続補正３】
【補正対象書類名】明細書
【補正対象項目名】００１０
【補正方法】変更
【補正の内容】
【００１０】
そこで、本発明の目的は、商品データの配置操作をユーザに容易に行わせて、出力データを出力できる仕組みを提供することにある。
【手続補正４】
【補正対象書類名】明細書
【補正対象項目名】００１１
【補正方法】変更
【補正の内容】
【００１１】
本発明は、サーバと情報処理装置とが通信回線を介して接続される情報処理システムであって、前記サーバは、チラシ生成に用いられる複数の商品データと当該商品データを配置する配置情報とを含む表示制御情報を前記情報処理装置に送信する第１の送信手段と、前記情報処理装置から取得される置き替えられた商品データの配置情報に従って、出力データを生成する生成手段とを有し、前記情報処理装置は、チラシ生成に用いられる複数の商品データと当該複数の商品データを配置する配置情報とを含む表示制御情報を前記サーバより受信する第１の受信手段と、前記第１の受信手段により受信した表示制御情報に含まれる配置情報に従って、前記商品データをそれぞれ配置した一覧画面をブラウザに表示させる表示制御手段と、前記表示制御手段によりブラウザに表示された一覧画面において、置き替え元となる商品データに対するポインティングデバイスによるドラッグの指定を受け付ける指定受付手段と、前記指定受付手段により指定を受け付けた前記置き替え元となる商品データが、置き替え先となる商品データの位置にドロップされた場合、当該ドロップされた置き替え先となる商品データを特定する特定手段と、前記指定受付手段により指定を受け付けた置き替え元となる商品データの配置情報と前記特定手段により特定された置き替え先となる商品データの配置情報とを用いて、前記ブラウザにおいて、前記置き替え元となる商品に関するデータと前記置き替え先となる商品に関するデータとを置き替えてブラウザに表示する置替表示手段と、前記商品データが再配置された出力データを前記サーバに生成させるべく、前記置替表示手段により置き替えられた商品データの配置情報を、前記サーバに送信する第２の送信手段とを有することを特徴とする。
【手続補正５】
【補正対象書類名】明細書
【補正対象項目名】００１２
【補正方法】変更
【補正の内容】
【００１２】
本発明においては、商品データの配置操作をユーザに容易に行わせて、出力データを出力できる。